(57)【特許請求の範囲】
【請求項１】
記録媒体にインクを吐出して記録を行う記録ヘッドを搭載して移動するためのキャリッジと、
記録ヘッドと対向する位置で記録媒体を支持するプラテンと、
シャーシに位置固定され、移動する前記キャリッジを案内する第１の支持部材と、
前記第１の支持部材よりも前記プラテンから離れた位置に配され、前記第１の支持部材とともに移動する前記キャリッジを案内する第２の支持部材と、
を備えるインクジェット記録装置であって、
前記プラテンの記録媒体を支持する面と交差する方向に前記第２の支持部材を移動することにより、前記記録ヘッドと前記プラテンとの距離を変更することが可能であり、
前記記録ヘッドと前記プラテンとの距離が第１の距離のときは、前記第１の支持部材により前記プラテンの記録媒体を支持する面と交差する方向における前記キャリッジの位置を規制し、
前記記録ヘッドと前記プラテンとの距離が前記第１の距離よりも大きい第２の距離のときは、前記第２の支持部材により前記プラテンの記録媒体を支持する面と交差する方向における前記キャリッジの位置を規制することを特徴とするインクジェット記録装置。
【請求項２】
前記記録ヘッドと前記プラテンとの距離が前記第１の距離のときは、前記第２の支持部材により前記キャリッジの前記第１の支持部材を中心とする回動が規制され、
前記記録ヘッドと前記プラテンとの距離が前記第２の距離のときは、前記第１の支持部材により前記キャリッジの前記第２の支持部材を中心とする回動が規制されることを特徴とする請求項１に記載のインクジェット記録装置。
【請求項３】
前記プラテンの記録媒体を支持する面と交差する方向に前記第２の支持部材を移動するモータを備えることを特徴とする請求項１または２に記載のインクジェット記録装置。
【請求項４】
前記第２の支持部材の端部に配された偏心カムに前記モータの駆動力を伝達することを特徴とする請求項３に記載のインクジェット記録装置。
【請求項５】
前記第２の支持部材を付勢するバネを備えることを特徴とする請求項４に記載のインクジェット記録装置。
【請求項６】
前記第１の支持部材は前記シャーシにビスで固定されることを特徴とする請求項１ないし５のいずれか１項に記載のインクジェット記録装置。
【請求項７】
前記第１の支持部材はシャフトであることを特徴とする請求項１ないし６のいずれか１項に記載のインクジェット記録装置。
【請求項８】
前記第１の支持部材はガイドレールであることを特徴とする請求項１ないし６のいずれか１項に記載のインクジェット記録装置。
【請求項９】
前記第２の支持部材はシャフトであることを特徴とする請求項７または８に記載のインクジェット記録装置。
【請求項１０】
前記第２の支持部材はガイドレールであることを特徴とする請求項７または８に記載のインクジェット記録装置。
【発明の詳細な説明】
【技術分野】
【０００１】
本発明は、記録媒体にインクを吐出して記録を行う記録ヘッドを搭載して移動するためのキャリッジを備えたインクジェット記録装置に関するものである。詳細には、記録媒体を支持するプラテンと記録ヘッドとの距離を変更することができるインクジェット記録装置に関する。
【背景技術】
【０００２】
記録ヘッドからインクを吐出して記録媒体に記録を行う記録装置においては、記録媒体の搬送方向と交差する方向に記録ヘッドを搭載したキャリッジを移動させる構成を備えている。キャリッジは、主案内部材であるガイドシャフトと、副案内部材であるガイド部材とに、案内されて往復移動する。記録ヘッドからインクを吐出して記録を行う記録装置においては、普通紙のみならず厚紙やＣＤ−Ｒ等のディスクにも記録を行う。そのため、記録ヘッドと対向する位置で記録媒体を支持するプラテンと記録ヘッドとの距離を変更する構成を備えている。
【０００３】
特許文献１には、記録ヘッド７を搭載したキャリッジ５０をガイドシャフト５２及びガイドレール１１１によって往復移動可能に案内支持するインクジェット記録装置が記載されている。また、キャリッジ５０に搭載された記録ヘッド７と対向する位置で記録媒体を支持するプラテン３４を備えている。そして、プラテン３４と近い位置にガイドシャフト５２が配され、プラテン３４と遠い側にガイドレール１１１が配されている。そして、ガイドシャフト５２の両端には偏心カムが設けられ、キャリッジ昇降モータ５８の駆動をギア列を介して偏心カムに伝達することによって、ガイドシャフト５２を昇降することが記載されている。
【特許文献１】特開２００４−４２３４６号公報
【発明の開示】
【発明が解決しようとする課題】
【０００４】
しかしながら、特許文献１に記載された発明では以下のような課題があった。すなわち、特許文献１の構成では、ガイドシャフト５２が昇降するため、ガイドシャフト５２をバネ付勢することによりガタを取る構成となっている。そのため、記録ヘッドにより記録を行うときに、ガイドシャフト５２の位置が微小に変化するため、記録ヘッドから記録媒体に吐出されたインクの着弾位置が乱れ、高画質の記録を行う際に画像が乱れてしまうという課題があった。
【０００５】
このような事情に鑑みて、本発明の目的は、記録媒体を支持するプラテンに対して記録ヘッドの位置を変更することにより記録ヘッドとプラテンとの距離を変更することができる記録装置において、高画質の記録を行うことができる記録装置を提供することである。
【課題を解決するための手段】
【０００６】
本発明は、上記目的を達成するため、記録媒体にインクを吐出して記録を行う記録ヘッドを搭載して移動するためのキャリッジと、記録ヘッドと対向する位置で記録媒体を支持するプラテンと、シャーシに位置固定され、移動する前記キャリッジを案内する第１の支持部材と、前記第１の支持部材よりも前記プラテンから離れた位置に配され、前記第１の支持部材とともに移動する前記キャリッジを案内する第２の支持部材と、を備えるインクジェット記録装置であって、前記プラテンの記録媒体を支持する面と交差する方向に前記第２の支持部材を移動することにより、前記記録ヘッドと前記プラテンとの距離を変更することが可能であり、前記記録ヘッドと前記プラテンとの距離が第１の距離のときは、前記第１の支持部材により前記プラテンの記録媒体を支持する面と交差する方向における前記キャリッジの位置を規制し、前記記録ヘッドと前記プラテンとの距離が前記第１の距離よりも大きい第２の距離のときは、前記第２の支持部材により前記プラテンの記録媒体を支持する面と交差する方向における前記キャリッジの位置を規制することを特徴とする。
【発明の効果】
【０００７】
本発明によれば、記録媒体を支持するプラテンに対して記録ヘッドの位置を変更することにより記録ヘッドとプラテンとの距離を変更することができる記録装置において、高画質の記録を行うことができる記録装置を提供することができる。
【発明を実施するための最良の形態】
【０００８】
以下、図面を参照して本発明の実施形態を具体的に説明する。なお、各図面を通して同一符号は同一又は対応部分を示すものである。
【０００９】
（第１の実施形態）
図１は第１の実施形態に係るインクジェット記録装置の斜視図である。インクジェット記録装置１は、上ケース２とベース３とを備えている。上ケース２とベース３とは不図示の弾性を有する嵌合爪により連結固定されている。上ケース２にはアクセスカバー５が開閉自在に取り付けられている。アクセスカバー５を開くことにより装置内部のインクタンク等の交換が可能となる。また、上ケース２にはＬＥＤガイド２ａ、キースイッチ２ｂ等が配されている。また、上ケース２の上部後方には、多段式の開閉可能な給紙トレイ６が配されている。給紙トレイ６は非使用状態では、装置内部をカバーする機能を有する。一方、使用状態では、給紙トレイ６を開くとともに引き出すことにより記録紙をセット可能な状態となる。
【００１０】
ベース３には、フロントカバー７が開閉自在に設けられている。フロントカバー７は記録紙の排紙口を開閉するものである。図１に示すように、フロントカバー７を開くと、伸縮構造を有する排紙トレイ８を外部に引き出すことができる。
【００１１】
図２は、インクジェット記録装置の内部構造を示す斜視図である。インクジェット記録装置１は、折り曲げ加工されたシャーシ９に部材が組み付けられて構成されている。主にインクジェット記録装置１は、搬送部２０、キャリッジ部３０、排紙部４０、等を有している。これらを図２〜図７を用いて順番に説明する。
【００１２】
［搬送部］
搬送部２０は、記録媒体を搬送するための搬送ローラ２１を有している。搬送ローラ２１は、表面にセラミックの微小粒をコーティングした金属製の軸からなり、その両端は軸受によりシャーシ９に支持されている。搬送ローラ２１と軸受との間には圧縮バネが配され、バネの付勢力により搬送ローラ２１の回転時の負荷を与え、回転の安定化を図っている。本実施形態の搬送ローラ２１は、外径が約φ１１ｍｍである。
【００１３】
搬送ローラ２１には、搬送ローラ２１に従動して回転する複数のピンチローラ２２がバネ付勢されて当接している。複数のピンチローラ２２は、シャーシ９に回動自在に支持されたピンチローラホルダ２２ａによって保持されている。
【００１４】
搬送部２０の入口付近には、記録媒体をガイドする不図示のガイドフラッパ、及びプラテン２４が配されている。プラテン２４は、シャーシ９に位置決めされて固定されている。また、ピンチローラホルダ２３には、記録媒体の先端、後端を検知するためのＰＥセンサレバーが配されている。
【００１５】
搬送ローラ２１は、ＤＣモータである搬送モータ２６により駆動される。搬送モータ２６の駆動が、タイミングベルト２３及びプーリ２７を介して搬送ローラ２１に伝達される。また、搬送ローラ２１には、搬送ローラの回転量を検出するためのコードホイール２８が装着されている。コードホイール２８には、１５０ｌｐｉ〜３００ｌｐｉのピッチでマーキングが形成されており、このマーキングは不図示のエンコーダセンサによって読み取られる。
【００１６】
給送部から搬送された記録媒体は、搬送ローラ２１とピンチローラ２２とによりプラテン２４上を搬送される。プラテン２４上には、記録媒体の搬送基準面となるリブ２４ａが形成されている。そして、このリブ２４ａによって記録ヘッド３１とのギャップＡが管理されるとともに、記録媒体の波打ちが抑えられる。
【００１７】
［キャリッジ部］
キャリッジ部３０は、記録ヘッド３１を搭載するためのキャリッジ３２を備える。記録ヘッド３１には、複数のインクタンク３１ａが着脱自在に配される。記録ヘッド３１は、複数の吐出口及びインクに熱を与えるヒータを有し、ヒータが発生する熱によってインクに膜沸騰を生じさせる。この膜沸騰による気泡の成長または収縮によって生じる圧力変化により、吐出口から記録媒体に対してインクを吐出する。
【００１８】
記録媒体の搬送方向に対して交差する方向にキャリッジ３２を移動することを案内支持するための第１の支持部材であるところの第１のガイドシャフト３３と、第２のガイドシャフト３４とがシャーシ９に支持されている。プラテン２４に近い側に第１のガイドシャフト３３が配され、プラテン２４から遠い側に第２のガイドシャフト３４が配される。
【００１９】
図３は、記録ヘッドとプラテンとの距離が小さいとき（第１の距離）のインクジェット記録装置の断面図である。図４は、記録ヘッドとプラテンとの距離が小さいときのインクジェット記録装置の側面図である。図５は、記録ヘッドとプラテンとの距離が大きいとき（第２の距離）のインクジェット記録装置の断面図である。図６は、記録ヘッドとプラテンとの距離が大きいときのインクジェット記録装置の側面図である。図７は、第１のガイドシャフトをシャーシに位置固定する構成を説明する図である。
【００２０】
最初に、図７を用いて、第１のガイドシャフト３３をシャーシ９に位置固定する構成を説明する。第１のガイドシャフト３３の一端（装置正面から見て左側）をシャーシ９に挿入し、第１のガイドシャフト３３の他端（装置正面から見て右側）はガイドシャフト固定部材３９を介してシャーシ９に位置固定する。ガイドシャフト固定部材３９は、第１のガイドシャフト３３を挿入するための穴部３９ａと、シャーシ９に位置決めするための位置決め部３９ｂと、を有する。第１のガイドシャフト３３の他端をガイドシャフト固定部材３９の穴部３９ａに挿入した後、ビス３９ｃの先端部で第１のガイドシャフト３３の平面部３３ａを押し込む。この構成により、第１のガイドシャフト３３がガイドシャフト固定部材３９の穴部の内径に押し付けられることにより第１のガイドシャフト３３の位置決めがされる。
【００２１】
キャリッジ３２は、シャーシ９に取り付けられたキャリッジモータ２９の駆動をタイミングベルト３６（図２）を介して伝達することにより駆動される。タイミングベルト３６はアイドルプーリ３７によって張設・支持されている。タイミングベルト３６は、ゴム等のダンパを介してキャリッジ３２と連結され、ダンパによりキャリッジモータ２９の振動が減衰され、振動に起因した画像ムラが低減される。
【００２２】
また、タイミングベルト３６と平行に、キャリッジ３２の位置を検出するためのコードストリップ３８（図２）が配されている。コードストリップ３８は、１５０ｌｐｉ〜３００ｌｐｉのピッチで形成されたマーキングを有し、キャリッジ３２に搭載されたエンコーダセンサによって読み取られる。エンコーダセンサはキャリッジ基板に配される。キャリッジ基板は、記録ヘッド３１と電気的な接続をするためのコンタクトを含み、本体基板とヘッド信号のやりとりを行うためのフレキシブル基板が接続されている。
【００２３】
キャリッジ３２には、キャリッジの移動方向に対して両側に第１のガイドシャフト３３と係合する第１の軸受部３２ａ（図３）と、第２のガイドシャフト３４と係合する第２の軸受部３２ｃと、を備える。
【００２４】
図３、図４に示す、記録ヘッドとプラテンとの距離が小さい状態においては、高さ方向において第１のガイドシャフト３３の上部と第１の軸受部３２ａの上部が当接することにより、キャリッジ３２の高さ方向の位置が決まる。このとき、記録ヘッド３１とプラテン２４との距離は１．０ｍｍに設定されている。また、高さ方向において第２のガイドシャフト３４の上部と第２の軸受部３２ｃの上部とは離間しており空間３５ａが形成されている。このとき、第１のガイドシャフト３３を中心とするキャリッジ３２の図３に示す矢印Ｂ方向の回動は、第２の軸受部３２ｃの回動規制部３２ｄが第２のガイドシャフト３４に当接することで規制される。
【００２５】
第２のガイドシャフト３４の両端には、偏心カム３４ａ、３４ｂが配されている。また、第２のガイドシャフト３４は、シャーシ９に固定される調整板５０ａ、５０ｂに付勢バネ５１ａ、５１ｂにより付勢されている。キャリッジ昇降モータの駆動力が所定のギア列を介して偏心カム３４ａに伝達され、偏心カム３４ａが回転することにより第２のガイドシャフト３４が昇降する。
【００２６】
図３、図４に示す、記録ヘッドとプラテンとの距離が小さい状態から偏心カム３４ａを図４に示す矢印Ｃ方向に回転させることで、図５、図６に示す、記録ヘッドとプラテンとの距離が大きい状態に移行する。
【００２７】
図５、図６に示す、記録ヘッドとプラテンとの距離が大きい状態においては、高さ方向において第２のガイドシャフト３４の上部とキャリッジ３２の第２の軸受部３２ｃの上部とが当接することにより、キャリッジ３２の高さ方向の位置が決まる。このとき、記録ヘッド３１とプラテン２４との距離は１．２ｍｍに設定されている。また、高さ方向において第１のガイドシャフト３３の上部と第１の軸受部３２ａの上部とは離間しており空間３５ｂが形成されている。このとき、第２のガイドシャフト３４を中心とするキャリッジ３２の図５に示す矢印Ｄ方向の回動は、第１の軸受部３２ａの回動規制部３２ｂが第１のガイドシャフト３３に当接することで規制される。
【００２８】
以上説明したように、プラテン２４に近い側に配された第１のガイドシャフト３３はシャーシ９に位置固定され、プラテン２４から遠い側に配された第２のガイドシャフト３４が昇降することにより、記録ヘッド３１とプラテン２４との距離Ａを変更することができる。
【００２９】
記録ヘッド３１により記録媒体に画像を記録するときは、搬送ローラ２１及びピンチローラ２２により記録媒体を画像を記録すべき行位置に搬送し、キャリッジモータ２９を駆動して記録ヘッド３２を移動することにより、記録媒体に対する記録が行われる。
【００３０】
［排紙部］
排紙部４０には、２本の排紙ローラ４１ａ、４１ｂと排紙ローラ４１に従動して回転する拍車４２ａ、４２ｂと、搬送モータ２６の駆動力を排紙ローラ４１に伝達するためのギア列と、を備える。上流側の排紙ローラ４１ａは金属製の軸にゴムを装着した構成であり、プラテン２４に取り付けられている。上流側の排紙ローラ４１ａには、搬送モータ２６の駆動力がアイドラギア等を介して駆動が伝達される。一方、下流側の排紙ローラ４１ｂは樹脂製の軸にゴムを装着した構成であり、プラテン２４に取り付けられている。下流側の排紙ローラ４１ｂには、上流側の排紙ローラ４１ａの駆動力がアイドラギア等を介して駆動が伝達される。
【００３１】
拍車４２は、周囲に凸形状部が複数設けられたＳＵＳの薄板を樹脂部と一体に成型したものであり、コイルバネ等の拍車バネを介して拍車ベース４３に取り付けられている。そして、拍車４２は拍車バネの付勢力により排紙ローラ４１に押圧される。
【００３２】
キャリッジ３２に搭載された記録ヘッド３１により画像が記録された記録媒体は、排紙ローラ４１と拍車４２とにより搬送され、排紙トレイ８に排出される。
【００３３】
図８は、インクジェット記録装置の制御ブロック図である。インクジェット記録装置１は、装置全体の制御手段として機能するＭＰＵ６０を有する。このＭＰＵ６０には、バスラインを介してＲＡＭ６１及びＲＯＭ６２が接続されている。ＲＡＭ６１は、各種データを一時的に保持等する受信バッファＲＢと、プリントバッファＰＢと、および各種制御に伴う演算処理の作業領域として用いられるワークラムＷＲとを有する。また、ＲＯＭ６２には、各種制御用プログラム等が記憶されている。
【００３４】
ＭＰＵ６０には、バスラインを介して入出力インターフェイス６３が接続されており、この入出力インターフェイス６３には外部のホストコンピュータＨＣが接続される。記録ヘッド３１は、ヘッド駆動回路６４を介して入出力インターフェイス６３に接続されており、ＭＰＵ６０によって制御される。同様にキャリッジモータ２９はＣＲドライバ６５を介して、給紙部の給紙モータ１７は給紙ドライバ６６を介して、搬送モータ２６は搬送ドライバ６７を介して、インターフェイス６３に接続される。また、センサ／スイッチ類は制御回路６８を介してインターフェイス６３に接続される。また、６９はＥＥＰＲＯＭである。
【００３５】
図９は、第１のガイドシャフト３３を本実施形態のようにシャーシ９に位置固定した場合と、従来技術のようにバネにより付勢した場合と、の記録媒体搬送方向におけるインク着弾ずれを示したグラフである。このとき、記録ヘッド３１とプラテン２４との距離が小さいときであり、図３に示す状態である。図９から明らかなように、本実施形態のように第１のガイドシャフト３３をシャーシ９に位置固定したときのほうがインク着弾ずれを小さくすることができる。
【００３６】
図１０は、キャリッジの位置とギャップ、偏心カムの位相等の関係をまとめた表である。もっとも高画質の記録が要求されるのは、フォト紙に記録を行うときである。その際、ギャップＡは１．０ｍｍに設定されている。キャリッジ３２の高さ方向の位置は第１のガイドシャフト３３により規定され、第２のガイドシャフト３４によりキャリッジ３２の回動が規制される。このとき、プラテン２４に近い側の第１のガイドシャフト３３がシャーシ９に位置固定されているため、インク着弾精度を良好に保つことができる。
【００３７】
図４に示す状態から偏心カム３４ａを矢印Ｃ方向に９０°回転すると、図６に示す記録ヘッドとプラテンとの距離が大きい状態とすることができる。このときは、前述のように、キャリッジ３２の高さ方向の位置は第２のガイドシャフト３４により規定され、第１のガイドシャフト３３によりキャリッジ３２の回動が規制される。第１のガイドシャフト３３と第１の軸受部３２ａとの間には空間３５ｂが設けられている。このとき、ギャップＡは１．２ｍｍに設定され、普通紙に記録を行う。フォト紙に記録を行う状態に比べ、シャーシにバネ付勢された第２のガイドシャフト３４をキャリッジ３２の支持のために使用しているため、記録媒体に対するインクの着弾位置が若干悪くなる。
【００３８】
図４に示す状態から偏心カム３４ａを矢印Ｃ方向に１５０°回転すると、封筒等の厚紙に記録するのに適した状態に移行する。この状態においても、キャリッジ３２の高さ方向の位置は第２のガイドシャフト３４により規定されており、第１のガイドシャフト３３と第１の軸受部３２ａとの間には空間３５ｂが設けられている。このとき、ギャップＡは２．２ｍｍに設定されている。
【００３９】
図４に示す状態から偏心カム３４ａを矢印Ｃ方向に２２０°回転すると、ＣＤ−Ｒ等のディスク状記録媒体に記録するのに適した状態に移行する。この状態においても、キャリッジ３２の高さ方向の位置は第２のガイドシャフト３４により規定されており、第１のガイドシャフト３３と第１の軸受部３２ａとの間には空間３５ｂが設けられている。このとき、ギャップＡは３．４ｍｍに設定されている。
【００４０】
（第２の実施形態）
図１１〜図１３を用いて、本発明の第２の実施形態を説明する。図１１は、第２の実施形態に係る、記録ヘッドとプラテンとの距離が小さいときのインクジェット記録装置の断面図である。図１２は、第２の実施形態に係る、記録ヘッドとプラテンとの距離が大きいときのインクジェット記録装置の断面図である。図１３は、第２の実施形態に係る、ガイドレールを昇降する構成を説明する図である。
【００４１】
第１の実施形態においては、第１の支持部材を第１のガイドシャフト３３とし、第２の支持部材を第２のガイドシャフト３４とした。本実施形態では、第２の支持部材を板状のガイドレール１３４としたことを特徴とする。
【００４２】
図１１に示す、記録ヘッドとプラテンとの距離が小さい状態においては、高さ方向において第１のガイドシャフト３３の上部とキャリッジ１３２の第１の軸受部１３２ａの上部が当接することにより、キャリッジ１３２の高さ方向の位置が決まる。このとき、記録ヘッドとプラテンとの距離は１．０ｍｍに設定されている。また、高さ方向において第２の支持部材であるガイドレール１３４の上部とキャリッジ１３２の第２の係合部１３２ｃとは離間ており空間１３５ａが形成されている。このとき、第１のガイドシャフト３３を中心とするキャリッジ１３２の図１１に示す矢印Ｂ方向の回動は、キャリッジ１３２の回動規制部１３２ｄがガイドレール１３４の鉛直部１３４ａに当接することで規制される。
【００４３】
ガイドレール１３４の両端には、偏心カム１４０が当接している。ガイドレール１３４は不図示のバネにより偏心カム１４０に付勢されている。キャリッジ昇降モータの駆動力が所定のギア列を介して偏心カム１４０に伝達され、偏心カム１４０が回転することによりガイドレール１３４が昇降する。
【００４４】
図１１に示す、記録ヘッドとプラテンとの距離が小さい状態から偏心カム１３４が図１３に示す矢印Ｃ方向に回転させることで、図１２に示す、記録ヘッドとプラテンとの距離が大きい状態に移行する。
【００４５】
図１２に示す、記録ヘッドとプラテンとの距離が大きい状態においては、高さ方向においてガイドレール１３４の上部とキャリッジ１３２の第２の係合部１３２ｃとが当接することにより、キャリッジ１３２の高さ方向の位置が決まる。このとき、記録ヘッドとプラテンとの距離は１．２ｍｍに設定されている。また、高さ方向において第１のガイドシャフト３３の上部と第１の軸受部１３２ａの上部とは離間しており空間１３５ｂが形成されている。このとき、ガイドレール１３４を中心とするキャリッジ１３２の図１２に示す矢印Ｄ方向の回動は、第１の軸受部１３２ａの回動規制部１３２ｂが第１のガイドシャフト１３３に当接することで規制される。
【００４６】
以上説明したように、プラテンに近い側に配された第１のガイドシャフト１３３はシャーシ１０９に位置固定され、プラテンから遠い側に配されたガイドレール１３４が昇降することにより、記録ヘッドとプラテンとの距離を変更することができる。
【００４７】
なお、第１の支持部材を板状のガイドレールとし、第２の支持部材をガイドシャフトで構成してもよい。また、第１の支持部材、第２の支持部材とも板状のガイドレールとしてもよい。
【図面の簡単な説明】
【００４８】
【図１】第１の実施形態に係るインクジェット記録装置の斜視図である。
【図２】インクジェット記録装置の内部構造を示す斜視図である。
【図３】記録ヘッドとプラテンとの距離が小さいときのインクジェット記録装置の断面図である。
【図４】記録ヘッドとプラテンとの距離が小さいときのインクジェット記録装置の側面図である。
【図５】記録ヘッドとプラテンとの距離が大きいときのインクジェット記録装置の断面図である。
【図６】記録ヘッドとプラテンとの距離が大きいときのインクジェット記録装置の側面図である。
【図７】第１のガイドシャフトをシャーシに位置固定する構成を説明する図である。
【図８】インクジェット記録装置の制御ブロック図である。
【図９】第１のガイドシャフトをシャーシに位置固定した場合と、従来技術のようにバネにより付勢した場合と、の記録媒体搬送方向におけるインク着弾ずれを示したグラフである。
【図１０】キャリッジの位置とギャップ、偏心カムの位相等の関係をまとめた表である。
【図１１】第２の実施形態に係る、記録ヘッドとプラテンとの距離が小さいときのインクジェット記録装置の断面図である。
【図１２】第２の実施形態に係る、記録ヘッドとプラテンとの距離が大きいときのインクジェット記録装置の断面図である。
【図１３】第２の実施形態に係る、ガイドレールを昇降する構成を説明する図である。
【符号の説明】
【００４９】
１  記録装置
２  上ケース
３  ベース
５  アクセスカバー
６  給紙トレイ
７  フロントカバー
８  排紙トレイ
９  シャーシ
２１  搬送ローラ
２２  ピンチローラ
２４  プラテン
３１  記録ヘッド
３２  キャリッジ
３３  第１のガイドシャフト
３４  第２のガイドシャフト
３９  ガイドシャフト固定部材
１３２  キャリッジ
１３４  ガイドレール
【図１】
0005132242.tif 000002
【図２】
0005132242.tif 000003
【図３】
0005132242.tif 000004
【図４】
0005132242.tif 000005
【図５】
0005132242.tif 000006
【図６】
0005132242.tif 000007
【図７】
0005132242.tif 000008
【図８】
0005132242.tif 000009
【図９】
0005132242.tif 000010
【図１０】
0005132242.tif 000011
【図１１】
0005132242.tif 000012
【図１２】
0005132242.tif 000013
【図１３】
0005132242.tif 000014